(57)【要約】【課題】使用不能となった透明電極フィルムを透明電極ガラスから容易に引き剥して新しいものと交換することによって透明電極ガラスを再利用することができるリユース可能な抵抗膜タッチパネルを提供すること。【解決手段】透明フィルム上に透明導電膜を形成して成る透明電極フィルム２と、透明ガラス板上に透明導電膜を形成して成る透明電極ガラス３とを重ね合わせ、両者の周縁部をこれらの間に介在する枠状の接着材シート４によって接着して構成される抵抗膜タッチパネル１において、前記接着剤シート４を解体性接着材シートで構成し、該解体性接着材シート４を前記透明電極フィルム２と共に透明電極ガラス３から剥離可能とする。又、透明電極フィルム２と透明電極ガラス３にコネクタ端子５，６を各々独立に設けるとともに、透明電極フィルム２側のコネクタ端子５を該透明電極フィルム２に一体に形成する。【選択図】図２
2010128523.tif 000002
【特許請求の範囲】
【請求項１】
透明フィルム上に透明導電膜を形成して成る透明電極フィルムと、透明ガラス板上に透明導電膜を形成して成る透明電極ガラスとを重ね合わせ、両者の周縁部をこれらの間に介在する枠状の接着材シートによって接着して構成される抵抗膜タッチパネルにおいて、
前記接着剤シートを解体性接着材シートで構成し、該解体性接着材シートを前記透明電極フィルムと共に前記透明電極ガラスから剥離可能としたことを特徴とする抵抗膜タッチパネル。
【請求項２】
前記透明電極フィルムと前記透明電極ガラスにコネクタ端子を各々独立に設けるとともに、透明電極フィルム側のコネクタ端子を該透明電極フィルムに熱圧着するか若しくは一体に形成したことを特徴とする請求項１記載の抵抗膜タッチパネル。
【請求項３】
前記透明電極ガラス側のコネクタ端子を透明電極ガラスに熱圧着するとともに、該コネクタ端子の熱圧着部に前記解体性接着材シートが重ならないように該解体性接着材シートの一部に切欠きを形成したことを特徴とする請求項２記載の抵抗膜タッチパネル。
【請求項４】
前記解体性接着材シートの前記透明電極ガラスへの接着面の一部をフィルムで覆ったことを特徴とする請求項１〜３の何れかに記載の抵抗膜タッチパネル。
【請求項５】
前記解体性接着材シートの前記透明電極ガラスへの接着面のコーナー部をフィルムで覆うとともに、前記透明電極ガラスの前記フィルムに対応するコーナー部を切除してカット部を形成したことを特徴とする請求項４記載の抵抗膜タッチパネル。
【発明の詳細な説明】
【技術分野】
【０００１】
本発明は、透明電極フィルムと透明電極ガラスとを重ね合わせて両者の周縁部を接着材シートによって接着して構成される抵抗膜タッチパネルに関するものである。
【背景技術】
【０００２】
ＬＣＤ（液晶ディスプレイ）やＣＲＴ（ブラウン管）等の画面上に配置される抵抗膜タッチパネルは、例えば電子手帳、複写機やプリンタ等の画像形成装置、パソコン等の情報機器の入力装置として使用されており、透視した画面の指示に従って指やペン等でこれを押圧すると、その押圧された座標を読み取る機能を有するものである。
【０００３】
ここで、従来の抵抗膜タッチパネルの構造を図８及び図９に基づいて説明する。
【０００４】
即ち、図８は従来の抵抗膜タッチパネルの斜視図、図９は同抵抗膜タッチパネルの分解斜視図であり、図示の抵抗膜タッチパネル１０１は、ＰＥＴフィルム等の薄い透明フィルム上に透明導電膜を形成して成る透明電極フィルム１０２と、比較的厚めの透明ガラス板上に透明導電膜を形成して成る透明電極ガラス１０３とを重ね合わせ、両者の周縁部をこれらの間に介在する枠状の両面テープ等の接着材シート１０４によって接着して構成されている。そして、上側の透明電極フィルム１０２と下側の透明電極ガラス１０３間には、これらの透明電極フィルム１０２と透明電極ガラス１０３の各２つの電極と導通を取るための薄い端子コネクタ１０５の一端が差し込まれて熱溶着されている。
【特許文献１】特開平１１−０９５９２６号公報
【特許文献２】特開２００３−１５０３１６号公報
【発明の開示】
【発明が解決しようとする課題】
【０００５】
ところで、抵抗膜タッチパネルが実装された操作部品はリサイクル製品としてメーカーに返却されているが、これに実装された抵抗膜タッチパネルには正常に機能しているものがある。
【０００６】
しかしながら、正常に機能している抵抗膜タッチパネルであっても、操作者の指やペン等が触れる透明電極フィルムの表面には傷、摩耗、汚損等が生じているためにリユース（再利用）することができず、全体を新しいものと交換する必要があった。即ち、図８及び図９に示したような従来の抵抗膜タッチパネル１０１はリユースを考慮して構成されておらず、透明電極フィルム１０２は固定を目的として接着されているため、これを透明電極ガラス１０３から剥して透明電極ガラス１０３を再利用することができず、再利用可能な透明電極ガラス１０３を含めて抵抗膜タッチパネル１０１全体を廃却して新しいものと交換する必要があり、甚だ不経済であった。
【０００７】
本発明は上記問題に鑑みてなされたもので、その目的とする処は、使用不能となった透明電極フィルムを透明電極ガラスから容易に引き剥して新しいものと交換することによって透明電極ガラスを再利用することができるリユース可能な抵抗膜タッチパネルを提供することにある。
【課題を解決するための手段】
【０００８】
上記目的を達成するため、請求項１記載の発明は、透明フィルム上に透明導電膜を形成して成る透明電極フィルムと、透明ガラス板上に透明導電膜を形成して成る透明電極ガラスとを重ね合わせ、両者の周縁部をこれらの間に介在する枠状の接着材シートによって接着して構成される抵抗膜タッチパネルにおいて、前記接着剤シートを解体性接着材シートで構成し、該解体性接着材シートを前記透明電極フィルムと共に前記透明電極ガラスから剥離可能としたことを特徴とする。
【０００９】
請求項２記載の発明は、請求項１記載の発明において、前記透明電極フィルムと前記透明電極ガラスにコネクタ端子を各々独立に設けるとともに、透明電極フィルム側のコネクタ端子を該透明電極フィルムに熱圧着するか若しくは一体に形成したことを特徴とする。
【００１０】
請求項３記載の発明は、請求項２記載の発明において、前記透明電極ガラス側のコネクタ端子を透明電極ガラスに熱圧着するとともに、該コネクタ端子の熱圧着部に前記解体性接着材シートが重ならないように該解体性接着材シートの一部に切欠きを形成したことを特徴とする。
【００１１】
請求項４記載の発明は、請求項１〜３の何れかに記載の発明において、前記解体性接着材シートの前記透明電極ガラスへの接着面の一部をフィルムで覆ったことを特徴とする。
【００１２】
請求項５記載の発明は、請求項４記載の発明において、前記解体性接着材シートの前記透明電極ガラスへの接着面のコーナー部をフィルムで覆うとともに、前記透明電極ガラスの前記フィルムに対応するコーナー部を切除してカット部を形成したことを特徴とする。
【発明の効果】
【００１３】
請求項１記載の発明によれば、透明電極フィルムを剥離可能な解体性接着材シートによって透明電極ガラスに接着したため、リサイクル部品として返却された抵抗膜タッチパネルの再使用不能な透明電極フィルムを解体性接着材シートと共に透明電極ガラスから容易に引き剥して新しいものと交換することができる。このため、透明電極ガラスを廃却することなく継続して再利用することができ、抵抗膜タッチパネルのリユースが可能となって経済的なメリットが得られる。
【００１４】
請求項２記載の発明によれば、透明電極フィルムと透明電極ガラスにコネクタ端子を各々独立に設けるとともに、透明電極フィルム側のコネクタ端子を該透明電極フィルムに一体に形成したため、抵抗膜タッチパネルのリユースに際して透明電極フィルムとコネクタ端子と共に透明電極ガラスから一体的に引き剥すことができ、コネクタ端子が透明電極ガラス側に残るという不具合が発生することがない。
【００１５】
請求項３記載の発明によれば、解体性接着材シートの一部に切欠きを形成し、該解体性接着材シートが透明電極ガラス側のコネクタ端子の熱溶着部と重ならないようにしたため、抵抗膜タッチパネルのリユースに際して透明電極フィルムを解体性接着材シートと共に透明電極ガラスから引き剥す際、透明電極ガラス側のコネクタ端子が解体性接着材シートに接着した状態で透明電極ガラスから引き剥されることがなく、透明電極ガラスをコネクタ端子と共に継続して使用することができる。
【００１６】
請求項４記載の発明によれば、抵抗膜タッチパネルのリユースに際して透明電極フィルムを透明電極ガラスから引き剥す際、解体性接着材シートのフィルムで覆われた部分は透明電極ガラスに接着していないため、この部分が剥離のきっかけとなって該解体性接着材シートが透明電極フィルムと共に透明電極ガラスから確実に引き剥され、透明電極ガラス側に解体性接着材シートが残ることがない。
【００１７】
請求項５記載の発明によれば、抵抗膜タッチパネルのリユースに際して透明電極フィルムを透明電極ガラスから引き剥す際、透明電極ガラスのコーナー部に形成されたカット部に指を入れて解体性接着材シートを透明電極フィルムと共に透明電極ガラスから作業性良く容易に引き剥すことができる。
【発明を実施するための最良の形態】
【００１８】
以下に本発明の実施の形態を添付図面に基づいて説明する。
【００１９】
図１は本発明に係る抵抗膜タッチパネルの斜視図、図２は同抵抗膜タッチパネルの分解斜視図、図３は同抵抗膜タッチパネルの一部を裏面側から見た分解斜視図、図４は図３のＡ部拡大詳細図、図５は図３のＢ部拡大詳細図、図６は同抵抗膜タッチパネルの一部を裏面側から見た斜視図、図７は図６のＣ部拡大詳細図である。
【００２０】
図１に示す抵抗膜タッチパネル１は、図２に示すように、ＰＥＴフィルム等の薄い透明フィルム上にインジウムチンオキサイド（ＩＴＯ）等から成る透明導電膜を形成して成る透明電極フィルム２と、比較的厚めの透明ガラス板上に同様の透明導電膜を形成して成る透明電極ガラス３とを重ね合わせ、両者間に不図示のドットスペーサ等を介在させた状態で、両者の周縁部をこれらの間に介在する矩形枠状の解体性接着材シート４によって接着して構成されている。
【００２１】
ここで、解体性接着材シート４は、垂直方向の引き剥し力や水平方向へのズレ力には強く、端部から捲るように引き離すと容易に剥離する性質を有するものであって、例えば再剥離可能な両面接着テープ（日東電工社製：Ｎｏ．５０００ＮＳ（品番））や粘着力調整可能なウレタンゲルシート（イノアック社製：ＮＡＧＦＬＥＸ（商品名））等が使用される。
【００２２】
又、透明電極フィルム２と透明電極ガラス３には、これらの各２つの電極に導通するコネクタ端子５，６が各々独立に設けられており、透明電極フィルム２側のコネクタ端子５は該透明電極フィルム２と一体に形成されている。これに対して、透明電極ガラス３側のコネクタ端子６は、透明電極ガラス３とは別体に構成され、導電性インク等によって透明電極ガラス３に熱圧着されている。そして、本実施の形態では、図２に示すように、コネクタ端子６の熱圧着部に解体性接着材シート４が重ならないように、該解体性接着材シート４の一部（コネクタ端子６の熱圧着部に対応する部分）には矩形の切欠き４ａが形成されている。尚、透明電極フィルム２側のコネクタ端子５は、透明電極ガラス３側のコネクタ端子６と同様に透明電極フィルム２と別体に構成し、これを導電性インク等によって透明電極フィルム２に熱圧着しても良い。
【００２３】
更に、図３及び図４に示すように、解体性接着材シート４の透明電極ガラス３への接着面のコーナー部は三角状の薄いフィルム７で覆われており、図３及び図５に示すように、透明電極ガラス３の前記フィルム７に対応するコーナー部は斜めに切除され、その部分にはカット部３ａが形成されている。従って、透明電極フィルム２と透明電極ガラス３を解体性接着材シート４によって接合一体化して成る抵抗膜タッチパネル１においては、図６及び図７に示すように、透明電極ガラス３のコーナー部に形成されたカット部３ａに、解体性接着材シート４の三角状フィルム７で覆われたコーナー部が露出している。
【００２４】
ところで、以上のように構成された抵抗膜タッチパネル１は、電子手帳、画像形成装置、パソコン等の情報機器の入力装置に実装され、その表面を指やペン等で押圧することによって各種の動作が行われる。
【００２５】
而して、情報機器が耐久寿命に達したような場合には、その情報機器に備えられた入力装置はリサイクル製品としてメーカーに返却されているが、これに実装された抵抗膜タッチパネルが正常に機能している場合には、これをリユースすることが考えられる。
【００２６】
本実施の形態に係る抵抗膜タッチパネル１は、リユースを考慮して構成されたものであって、透明電極フィルム２を剥離可能な解体性接着材シート４によって透明電極ガラス３に接着したため、リサイクル部品として返却された抵抗膜タッチパネル１の再使用不能な透明電極フィルム２を解体性接着材シート４と共に透明電極ガラス３から容易に引き剥して新しいものと交換することができる。このため、透明電極ガラス３を廃却することなく継続して再利用することができ、抵抗膜タッチパネル１のリユースが可能となって経済的なメリットが得られる。
【００２７】
又、本実施の形態に係る抵抗膜タッチパネル１においては、透明電極フィルム２と透明電極ガラス３にコネクタ端子５，６を各々独立に設けるとともに、透明電極フィルム２側のコネクタ端子５を該透明電極フィルム２に一体に形成したため、抵抗膜タッチパネル１のリユースに際して透明電極フィルム２とコネクタ端子５と共に透明電極ガラス３から一体的に引き剥すことができ、コネクタ端子５が透明電極ガラス３側に残るという不具合が発生することがない。この場合、解体性接着材シート４の一部に図２に示すように切欠き４ａを形成し、該解体性接着材シート４が透明電極ガラス３側のコネクタ端子６の熱溶着部と重ならないようにしたため、抵抗膜タッチパネル１のリユースに際して透明電極フィルム２を解体性接着材シート４と共に透明電極ガラス３から引き剥す際、透明電極ガラス３側のコネクタ端子６が解体性接着材シート４に接着した状態で透明電極ガラス３から引き剥されることがなく、透明電極ガラス３をコネクタ端子６と共に継続して使用することができる。
【００２８】
更に、本実施の形態に係る抵抗膜タッチパネル１においては、図３〜図７に示すように、解体性接着材シート４の透明電極ガラス３への接着面のコーナー部を三角状のフィルム７で覆うとともに、透明電極ガラス３の前記フィルム７に対応するコーナー部を切除してカット部３ａを形成したため、抵抗膜タッチパネル１のリユースに際して透明電極フィルム２を透明電極ガラス３から引き剥す際、透明電極ガラス３のコーナー部に形成されたカット部３ａに指を入れて解体性接着材シート４を作業性良く容易に剥がすことができる。この場合、解体性接着材シート４のフィルム７で覆われた部分は透明電極ガラス３に接着していないため、この部分が剥離のきっかけとなって該解体性接着材シート４が透明電極フィルム２と共に透明電極ガラス３から捲れるようにして確実に引き剥され、透明電極ガラス３側に解体性接着材シート４が残ることがない。
【００２９】
以上の結果、抵抗膜タッチパネル１のリユースに際しては、使用不能となった透明電極フィルム２を透明電極ガラス３から容易に引き剥して新しいものと交換することができ、経済的に高いメリットが得られる。
【図面の簡単な説明】
【００３０】
【図１】本発明に係る抵抗膜タッチパネルの斜視図である。
【図２】本発明に係る抵抗膜タッチパネルの分解斜視図である。
【図３】本発明に係る抵抗膜タッチパネルの一部を裏面側から見た分解斜視図である。
【図４】図３のＡ部拡大詳細図である。
【図５】図３のＢ部拡大詳細図である。
【図６】本発明に係る抵抗膜タッチパネルの一部を裏面側から見た斜視図である。
【図７】図６のＣ部拡大詳細図である。
【図８】従来の抵抗膜タッチパネルの斜視図である。
【図９】従来の抵抗膜タッチパネルの分解斜視図である。
【符号の説明】
【００３１】
１      抵抗膜タッチパネル
２      透明電極フィルム
３      透明電極ガラス
３ａ    透明電極ガラスの切欠き部
４      解体性接着材シート
４ａ    解体性接着材シートの切欠き
５，６  コネクタ端子
７      フィルム
【図１】
2010128523.tif 000003
【図２】
2010128523.tif 000004
【図３】
2010128523.tif 000005
【図４】
2010128523.tif 000006
【図５】
2010128523.tif 000007
【図６】
2010128523.tif 000008
【図７】
2010128523.tif 000009
【図８】
2010128523.tif 000010
【図９】
2010128523.tif 000011